(57)【要約】移動局（ＭＳ）は、２つの異なるネットワーク、すなわちＷＷＡＮとＷＬＡＮの間で、いずれかの方向に垂直的にローミングすることができる。ＭＳは、ＷＷＡＮ及びＷＬＡＮの伝送用のデュアルモード無線機を装備する。ＷＬＡＮ無線は、第１電波リンク経由でＷＬＡＮのエンタープライズ・ゲートウェイ・コントローラ（ＥＧＣ）にリンクされ、ＷＷＡＮ無線は、第２電波リンク経由でＷＷＡＮのトランシーバ基地局（ＢＴＳ）にリンクされる。ＥＧＣは、ＢＴＳに順番に接続されるモバイル切替センター（ＭＳＣ）に接続される。ＷＬＡＮ無線からＷＷＡＮ上の遠隔パーティに発信するＶｏＩＰ通話は、ＭＳがパケットのエラー率、頻繁な短縮又は継続的な信号劣化を検出したときにＷＷＡＮ接続に移行するか、又はシームレスな切替を行うことになる。こうした条件の下で、ＷＬＡＮ無線は、ユーザの加入者識別モジュール（ＳＩＭ）に格納された参考情報に基づいて通話を自動的に受け入れるＷＷＡＮ無線区域を統合されたＭＳに、ＭＳＣ経由で明示的通話転送を要求するように、ＥＧＣに求める。ＷＷＡＮ無線がＷＷＡＮ上の遠隔パーティに接続されていることを確認されたならば、ＷＬＡＮ無線はＷＬＡＮ接続を切る。ＷＷＡＮ経由のＭＳと遠隔ユーザとの間の着信通話は、ＭＳがＷＬＡＮのサービスエリアに入ると、ＷＬＡＮ無線に移行することになる。ＭＳは、ＷＬＡＮにＥＣＴを発する。ＷＬＡＮ無線によるユーザ確認及びその通話のＥＧＣ信号の受入れ後にＷＷＡＮ無線接続は打切られ、通話が直ちにＷＬＡＮ無線とＷＷＡＮ上の遠隔パーティとの間で確立される。
2004517574.tif 000002
【特許請求の範囲】
【請求項１】
能動的音声又はデータ通信を維持しながら無線ローカル・エリア・ネットワーク（ＷＬＡＮ）と無線広域エリア・ネットワーク（ＷＷＡＮ）との間で自動シームレス垂直ローミングを行うためのシステムであって、
（ａ）ＷＬＡＮ及びＷＷＡＮネットワークへのＷＷＡＮ及びＷＬＡＮ伝送のための移動局、
（ｂ）ＷＬＡＮの双方向通信リンクによって移動局にリンクされ、グローバル・システム・モバイル（ＧＳＭ）／総合パケット無線サービス（ＧＰＲＳ）モード又はＩＥＥＥ８０２．１１モードで作動するＷＬＡＮのゲートウェイ、
（ｃ）ＷＷＡＮにサービスするためのＧＳＮ・ＧＰＲＳモードで作動し、ＷＷＡＮ双方向通信リンクによって移動局にリンクされたトランシーバ基地局、
（ｄ）前記ＷＬＡＮゲートウェイ及び前記トランシーバ基地局に接続された移動切替センターを備える切替ネットワーク、及び、
（ｆ）信号劣化が生じるときに前記ゲートウェイを経由する前記移動局と前記ＷＬＡＮ上の遠隔ユーザとの間のトラフィックをＷＷＡＮに移送する動作を開始させるＷＬＡＮコマンド装置、
を備えたことを特徴とするシステム。
【請求項２】
（ｇ）移動局がＷＬＡＮエリアに入ったときに、前記ＷＷＡＮを経て前記ゲートウェイに至る前記移動局と前記遠隔ユーザとの間のトラフィックを、前記ＷＷＡＮに移送する動作を開始させるＷＬＡＮコマンド装置を更に備えた請求項１のシステム。
【請求項３】
（ｈ）ユーザがネットワーク間を移動するときに、ＷＷＡＮとＷＬＡＮとの間及びその逆のＳＶＲ切替を行うデュアルモード無線機を更に備えた請求項１のシステム。
【請求項４】
（ｉ）ＷＬＡＮ／ＷＷＡＮネットワーク間のＳＶＲ切替用の明示的通話転送（ＥＣＴ）を与える移動切替センターを更に備えた請求項１のシステム。
【請求項５】
（ｊ）ＧＳＭ／ＧＰＲＳの空きトラフィック枠におけるＷＬＡＮ信号をインターリーブするためのＷＬＡＮ信号送信装置を更に備えた請求項１のシステム。
【請求項６】
（ｋ）ＧＳＭ／ＧＰＲＳの空き信号送信枠におけるＷＬＡＮ／ＷＷＡＮ音声／データをインターリーブするためのトラフィック装置を更に備えた請求項１のシステム。
【請求項７】
（ｌ）デュアルモード無線機ＡＰＩをＧＳＭ／ＧＰＲＳプロトコル・スタック及びＷＬＡＮのＩＥＥＥプロトコル・スタックにリンクしているＳＶＲインターフェースを更に備えた請求項１のシステム。
【請求項８】
前記ＳＶＲインターフェースが３つのレイヤの通信インターフェースを更に備えていることを特徴とする請求項７のシステム。
【請求項９】
ランダムなパケット着信時間を均等な間隔をもったストリーミングデータに変換するためのＷＬＡＮにおけるジッター・バッファを更に備えた請求項１のシステム。
【請求項１０】
ＷＷＡＮからＷＬＡＮに及びその逆に転送するときに、ＷＷＡＮ及びＷＬＡＮの当事者間の接続を維持するためのＷＷＡＮとＷＬＡＮとの間の回路切替装置を更に備えた請求項１のシステム。
【請求項１１】
音声又はデータの能動的接続を維持しながら、無線ローカル・エリア・ネットワーク（ＷＬＡＮ）と無線広域エリア・ネットワーク（ＷＷＡＮ）との間での自動シームレス垂直ローミングを行うための方法であって、
（ａ）ＷＷＡＮ上の音声又はデータ通話をＷＬＡＮ上の遠隔パーティに転送する動作を開始させるコマンドを、ＷＷＡＮ及びＷＬＡＮ伝送が可能なデュアルモード無線機を含む移動局によってＷＷＡＮに発し、
（ｂ）前記遠隔パーティと前記移動局との間の通話を維持しながらゲートウェイがＷＬＡＮ伝送のための前記デュアルモード無線機にリンクされているか否かを調べ、
（ｃ）前記デュアルモード無線機によって通話発信者の識別がＷＷＡＮ伝送からのものであることを確認し、前記通話を受けるように前記ＷＬＡＮゲートウェイに信号を送り、
（ｄ）ＷＬＡＮ接続の確立を待つ間に前記移動局に前記パケットを格納し、
（ｅ）前記ＷＷＡＮネットワークによって前記通話用の前記ＷＷＡＮ接続を切り、
（ｆ）前記ゲートウェイ経由で前記通話発信者に接続し、ＷＬＡＮ伝送用の前記デュアルモード無線機に対して前記格納パケットを解放する、
ステップを含むことを特徴とする方法。
【請求項１２】
音声又はデータの能動的接続を維持しながら、無線ローカル・エリア・ネットワーク（ＷＬＡＮ）と無線広域エリア・ネットワーク（ＷＷＡＮ）との間での自動シームレス垂直ローミングを行うための方法であって、
（ａ）ＷＬＡＮ上のＶｏＩＰ通話又はデータ伝送をＷＷＡＮ上の遠隔パーティに転送する動作を開始させるコマンドを、ＷＷＡＮ及びＷＬＡＮ伝送が可能なデュアルモード無線機を含む移動局によってゲートウェイに発し、
（ｂ）前記遠隔パーティと前記移動局との間の通話を維持しながらＷＷＡＮネットワークによってＷＷＡＮ伝送用のデュアルモード無線機がＷＷＡＮネットワークに登録されたものであるか否かを調べ、
（ｃ）前記デュアルモード無線機によって通話発信者の識別がＷＬＡＮ伝送からのものであることを確認し、前記通話を受けるように前記ＷＷＡＮネットワークに信号を送り、
（ｄ）ＷＷＡＮ接続の確立を待つ間に前記移動局に前記パケットを格納し、
（ｅ）前記ＷＬＡＮネットワークによって前記通話用の前記ＷＬＡＮ接続を切り、
（ｆ）前記ＷＷＡＮ経由で前記通話発信者を前記移動局に接続し、ＷＷＡＮ伝送用の前記デュアルモード無線機に対して前記格納パケットを解放する、
ステップを含むことを特徴とする方法。
【請求項１３】
（ｇ）前記移動局がＷＬＡＮエリアに入ったときに、前記移動局と遠隔パーティとの間のトラフィックをＷＷＡＮ経由からＷＬＡＮ経由に転送する動作を開始することを更に含む請求項１１又は請求項１２の方法。
【請求項１４】
（ｈ）ユーザが前記ネットワークの間を移動しているときに、デュアルモード無線機を前記ＷＷＡＮと前記ＷＬＡＮとの間で、及びその逆での切替えることを更に含む請求項１１又は請求項１２の方法。
【請求項１５】
（ｉ）ユーザがネットワークにおいてローミングしているときに、ＷＬＡＮ／ＷＷＡＮネットワーク間でのＳＶＲ切替用の明示的通話転送（ＥＣＴ）機能を与えることを特徴とすることを更に含む請求項１１又は請求項１２の方法。
【請求項１６】
（ｊ）ＧＳＭ／ＧＰＲＳの空きトラフィック枠におけるＷＬＡＮの信号送信をインターリーブすることを更に含む請求項１１又は請求項１２の方法。
【請求項１７】
（ｋ）ＧＳＭ／ＧＰＲＳの空き信号送信枠にＷＬＡＮ／ＷＷＡＮの音声／データのトラフィックをインターリーブすることを更に含む請求項１１又は請求項１２の方法。
【請求項１８】
（ｌ）ＷＷＡＮとＷＬＡＮとの間及びその逆の間でのＳＶＲのために、デュアルモード無線機ＡＰＩをＧＳＭ／ＧＰＲＳプロトコル・スタック及びＷＬＡＮのＩＥＥＥプロトコル・スタックにリンクさせることを更に含む請求項１１又は請求項１２の方法。
【請求項１９】
前記ＳＶＲインターフェースが３つのレイヤの通信インターフェースを更に備えていることを特徴とする請求項１８の方法。
【請求項２０】
ジッター・バッファを用いてランダムなパケット着信時間を均等な間隔をもったストリーミングデータに変換することを更に含む請求項１１又は請求項１２の方法。
【請求項２１】
ＷＷＡＮからＷＬＡＮに、及びその逆に転送するときに、ＷＷＡＮ及びＷＬＡＮの当事者間の接続を維持することを更に含む請求項１１又は請求項１２の方法。
【請求項２２】
音声又はデータの能動的接続を維持しながら、無線ローカル・エリア・ネットワーク（ＷＬＡＮ）と無線広域エリア・ネットワーク（ＷＷＡＮ）との間での自動シームレス垂直ローミングを行うためのコンピュータ・システムにおける媒体であって、
（ａ）ＷＷＡＮ上の音声又はデータ通話をＷＬＡＮ上の遠隔パーティに転送する動作を開始させるコマンドを、ＷＷＡＮ及びＷＬＡＮ伝送が可能なデュアルモード無線機を含む移動局によってＷＷＡＮに発するプログラム命令、
（ｂ）前記遠隔パーティと前記移動局との間の通話を維持しながらゲートウェイがＷＬＡＮ伝送用の前記デュアルモード無線機にリンクされているか否かを調べるプログラム命令、
（ｃ）前記デュアルモード無線機によって通話発信者の識別がＷＷＡＮ伝送からのものであることを確認し、前記通話を受けるように前記ＷＬＡＮゲートウェイに信号を送るプログラム命令、
（ｄ）ＷＬＡＮ接続の確立を待つ間に前記移動局に前記パケットを格納させるプログラム命令、
（ｅ）前記ＷＷＡＮネットワークによって前記通話用の前記ＷＷＡＮ接続を切るプログラム命令、及び、
（ｆ）前記ゲートウェイ経由で前記通話発信者に接続し、ＷＬＡＮ伝送用のデュアルモード無線機に対して前記格納パケットを解放するプログラム命令、
を含むことを特徴とする媒体。
【請求項２３】
能動的音声又はデータ接続を維持しながら、無線ローカル・エリア・ネットワーク（ＷＬＡＮ）と無線広域エリア・ネットワーク（ＷＷＡＮ）との間での自動シームレス垂直ローミングを行うためのコンピュータ・システムにおける媒体であって、
（ａ）ＷＬＡＮ上のＶｏＩＰ通話又はデータ伝送をＷＷＡＮ上の遠隔パーティに転送する動作を開始させるコマンドを、ＷＷＡＮ及びＷＬＡＮ伝送が可能なデュアルモード無線機を含む移動局によってゲートウェイに対して発するプログラム命令、
（ｂ）前記遠隔パーティと前記移動局との間の通話を維持しながらＷＷＡＮネットワークによってＷＷＡＮ伝送用のデュアルモード無線機がＷＷＡＮネットワークに登録されたものであるか否かを調べるプログラム命令、
（ｃ）前記デュアルモード無線機によって通話発信者の識別がＷＬＡＮ伝送からのものであることを確認し、前記通話を受けるように前記ＷＷＡＮネットワークに信号を送るプログラム命令、
（ｄ）ＷＷＡＮ接続の確立を待つ間に前記移動局に前記パケットを格納させるプログラム命令、
（ｅ）前記ＷＬＡＮネットワークによって前記通話用の前記ＷＬＡＮ接続を切るプログラム命令、及び、
（ｆ）前記ＷＷＡＮ経由で前記通話発信者を前記移動局に接続し、ＷＷＡＮ伝送用の前記デュアルモード無線機に対して前記格納パケットを解放するプログラム命令、
を含むことを特徴とする媒体。
【請求項２４】
能動的音声又はデータ接続を維持しながら、無線ローカル・エリア・ネットワーク（ＷＬＡＮ）と無線広域エリア・ネットワーク（ＷＷＡＮ）との間での自動シームレス垂直ローミングを行うためのコンピュータ・システムにおける媒体であって、
（ａ）ＷＬＡＮ上のＶｏＩＰ通話又はデータ伝送をＷＷＡＮ上の遠隔パーティに転送する動作を開始させるコマンドを、ＷＷＡＮ及びＷＬＡＮ伝送が可能なデュアルモード無線機を含む移動局によってゲートウェイに対して発するプログラム命令、
（ｂ）前記遠隔パーティと前記移動局との間の通話を維持しながらＷＷＡＮネットワークによってＷＷＡＮ伝送用のデュアルモード無線機がＷＷＡＮネットワークに登録されたものであるか否かを調べるプログラム命令、
（ｃ）前記デュアルモード無線機によって通話発信者識別がＷＬＡＮ伝送からのものであることを確認し、前記通話を受けるように前記ＷＷＡＮネットワークに信号を送るプログラム命令、
（ｄ）ＷＷＡＮ接続の確立を待つ間に前記移動局に前記パケットを格納するプログラム命令、
（ｅ）前記ＷＬＡＮネットワークによって前記通話用の前記ＷＬＡＮ接続を切るプログラム命令、及び、
（ｆ）前記ＷＷＡＮ経由で前記通話発信者を前記移動局に接続し、ＷＷＡＮ伝送用の前記デュアルモード無線機に対して前記格納パケットを解放するプログラム命令、
を含むことを特徴とする媒体。
【発明の詳細な説明】
【０００１】
（技術分野）
本発明は、通信システム、方法及びプログラム製品に関する。より詳細には、本発明は、能動的音声又はストリーミングデータの接続を維持しながら無線ローカル・エリア・ネットワーク（ＷＬＡＮ）と無線広域エリア・ネットワーク（ＷＷＡＮ）との間での自動でシームレスな垂直ローミングを行う通信システム、方法及びプログラム製品に関する。
【０００２】
（背景技術）
無線携帯情報端末（ＷＰＤＡ）及び「スマート」携帯電話は、大衆消費者市場に「モバイル・インターネット」アクセスを提供するものとして知られた最も普及したデバイスである。現時点において、ＷＷＡＮとＷＬＡＮ音声接続との間の移行がシームレスかつ自動的に行なわれるような、ボイス・オーバー・インターネット・プロトコル（ＶｏＩＰ）及びストリーミングデータに基づくＷＬＡＮと回路切替電話方式のＷＷＡＮとを結合する技術は、未だ開発されていない。こうした開発によって、ＷＬＡＮベースの音声電話方式には、加入者が移動したときに過負荷状態のＷＷＡＮネットワークからのトラフィックを、シームレスかつ自動的に、より広い帯域幅へと移動させるという利点が、両者のインフラストラクチャを管理する電気通信事業者にもたらされる。電気通信事業者及びＷＷＡＮ及びＷＬＡＮの両インフラストラクチャ製品を生産するネットワーク設備製造業者は、今や順調なビジネスのための仕組み及びモバイル・インターネット・アクセスに基づいたＷＷＡＮと高速ＷＬＡＮの両方の中核となる機種を手にすることができる。さらに、溢出効果を受ける企業及び消費者レベルの市場は、モバイルの専門家が高速インターネット及びＩＰベースの音声アクセスの利点を自宅や小規模オフィスに採り入れようとするにしたがって、ドミノ効果的に拡大していくであろう。
【０００３】
異なる無線ネットワーク間の自動音声又はデータ転送に関する公知技術は、以下の事項を含む。
（１）米国特許５、６８２、３７９号には、コンピュータ・ターミナル及び一つ又はそれ以上の周辺デバイスとの間に無線個人用のローカル・エリア・ネットワークを構築するためのトランシーバ装置が開示されている。別々のトランシーバはコンピュータ・ターミナル及び各周辺デバイスに接続される。トランシーバはターミナル又は周辺デバイスの内側又は外側に接続可能である。低出力無線機が、コンピュータ・ターミナルと周辺デバイスとの間で情報を通信するために用いられる。ローカル・エリア・ネットワークの搬送周波数及び出力を修正するために異なるトランシーバを用いることができる。マイクロプロセッサは、各トランシーバに内蔵され、通信プロトコルを有するトランシーバの情報流れを制御し、他のデバイスが通信を行なっているか、どのデバイスが受信を行なっているかを各デバイスが把握できるように、且つ選択的に周辺デバイスを扱うことができるようにする。アイドル感知通信プロトコルが、コンピュータ・ターミナル及び周辺デバイス間の情報転送に用いられ、出力管理の効率を高め、伝送衝突を補填する。
【０００４】
（２）米国特許５、７９０、５２７号には、既存の周波数分割多重アクセス（ＦＤＭＡ）通信設備を更新して時分割多重アクセス（ＴＤＭＡ）通信に適応させるための中継式無線通信システム、装置及び方法が、開示されている。ＴＤＭＡチャネルは、スペクトルの効率及び性能を向上させるために個人用の既存ＦＤＭＡサイトに付設されるが、既存のＦＤＭＡ装置及びプロトコルとの互換性を依然として有する。例えば、既存のＦＤＭＡ制御チャネル及びプロトコルは、デュアルモード・サイト及びデュアルモード無線機に用いられる。デュアルモード無線機トランシーバは、ＦＤＭＡモード又はＴＤＭＡモードのいずれかのモードで、選択的に中継無線通信に加わる。各デュアルモード無線機には、各チャネルがＦＤＭＡ又はＴＤＭＡ実行チャネルであると認識するモード識別子を格納するメモリーがある。チャネル割り当てが行なわれるときに、デュアルモード無線機は、その特定通信に関するＦＤＭＡ又はＴＤＭＡモードで動作するかどうかを、メモリーに格納されたそのチャネルモード識別子から判断する。さらに、デュアルモード無線機は、ＦＤＭＡ制御チャネルとＴＤＭＡ実行チャネルとの間で設定された時間調整の関係を用いて、ＴＤＭＡ実行チャネル（時間枠）への同期を速める。多重サイト、中継無線通信に関連させて、本発明は、ＴＤＭＡ通信性能を有するサイト及び無線とＦＤＭＡ性能のみを有するサイト及び無線との間に相互動作性能を提供する。
【０００５】
（３）米国特許６、０７５、９８５号には、切替センターと双方向通信を行なう基地局、複数のユーザ局と双方向通信を行う構内電話切替システム（ＰＢＸ）、及び無線中継インターフェース（ＷＴＩ）を含む固定無線アクセス・システムが開示されている。ＷＴＩは、双方向の無線電波接続を通じて基地局及び双方向の中継線を通じてＰＢＸとの間で通信する。無線接続は、基地局のデュアル無線装置（ＤＲＵ）及びＷＴＩのトランシーバとの間で確立されるため、現在の電波インターフェースにおいて通常、通話受信者及び通話発信者のディレクトリ番号に割り当てられている枠は、情報交換にかかわるトランシーバを特定するために用いられる必要がある。そのため、ＰＢＸに控えてある受信局のＤＮは、電波インターフェースの他の領域を用いてＷＴＩに伝送され、正確な接続（ＤＩＤサービス）の確立に適した形式でＰＢＸに渡される。同様に、ＰＢＸに控えてある発信局のＤＮは、基地局に伝送され、切替センター（ＡＩＯＤサービス）の使用に適する形式を用いて切替センターに渡される。
既存の接続が維持され移行がとぎれずに行われるように、音声又はデータの能動的接続を第１ネットワークにおいて維持しながら、切替を行うために第２ネットワークの利用可能性を探知することによって、ＷＬＡＮとＷＷＡＮとの間で自動シームレス垂直ローミングをすることが開示されている公知技術は、全くない。
【０００６】
（発明の開示）
移動局（ＭＳ）は、既存の通信グローバル・システム・モバイル（ＧＳＭ）のインフラストラクチャを用いて、２つの異なるネットワークの間で、即ち総合パケット無線システム（ＧＰＲＳ）が備えられたＷＷＡＮと、ＷＬＡＮとの間で、垂直ローミングをすることができる。ＧＳＭ及びＧＰＲＳが、本明細書において例として用いられているが、この方法は、ＷＷＡＮネットワークの他の方式に対しても同様に適用可能である。公衆サービス電話網（ＰＳＴＮ）を介して回路切替音声通話を伝えるＷＷＡＮネットワークの全ては、基本的ないくつかのＰＳＴＮ付帯サービスのサブセットについても維持する必要があるため、ＧＳＭの付帯サービスは明示的通話転送（ＥＣＴ）及び通話発信者識別（ＣＩ）を含む。ＭＳには、ＷＷＡＮ及びＷＬＡＮ伝送用のデュアルモード無線機が装備されている。
【０００７】
ＷＬＡＮ無線は、第１電波リンク経由でＷＬＡＮエンタープライズ・ゲートウェイ・コントローラ（ＥＧＣ）にリンクされ、ＷＷＡＮ無線は、第２電波リンク経由でＷＷＡＮトランシーバ基地局（ＢＴＳ）にリンクされる。ＥＧＣは、移動切替センター（ＭＳＣ）に接続され、次いで該ＭＳＣはＢＴＳに接続されており、これらの接続は、公知技術として現在受け入れられている標準的な有線又は無線構造であれば、いかなるものでも可能である。ＷＬＡＮ無線からＷＬＡＮ上の遠隔パーティへのＶｏＩＰ発信する通話は、パケットのエラー率、頻繁な短縮又は継続的な信号劣化をＭＳが検出するときに、ＷＷＡＮ接続に移行するか、又はシームレスな切替を行うことになる。こうした条件の下で、ＷＬＡＮ無線は、ユーザの加入者識別モジュール（ＳＩＭ）に格納された参照情報に基づいて通話を自動的に受け入れるＷＷＡＮ無線部分を統合したＭＳに、ＭＳＣ経由で明示的通話転送又は会議通話を要求するようにＥＧＣに求める。ＷＷＡＮ無線がＷＷＡＮ上の遠隔パーティに接続されていることが確認されたならば、ＷＬＡＮ無線はＷＬＡＮ接続を切る。ＷＷＡＮ経由のＭＳと遠隔ユーザとの間の着信通話は、ＭＳがＷＬＡＮサービスエリアに入ると、ＷＬＡＮ無線に移行することになる。ＭＳはＷＬＡＮに対して会議通話の要求又はＥＣＴを発する。ＷＬＡＮ無線によるユーザ確認及びその通話のＥＧＣ信号受入れ後に、ＷＷＡＮ無線の接続は打ち切られ、通話が直ちにＷＬＡＮ無線とＷＷＡＮ上の遠隔パーティとの間で確立される。ＷＬＡＮ信号送信及びＷＬＡＮのＶｏＩＰトラフィックは、ＧＳＭの空き時間枠に同期させられる。ＷＬＡＮ音声トラフィックは、ＧＳＭ信号送信の空き時間枠の間に生じることになる。ＷＬＡＮ信号送信は、ＧＳＭの空きトラフィック枠の間に生じることになる。
【０００８】
ＷＬＡＮのＶｏＩＰデータ・トラフィック・セグメントは、ほぼ１０ミリ秒毎にデジタル信号プロセッサによって収集され、圧縮され、且つデジタル的にコンパンディングされることが含まれる。モバイルは空きのＷＷＡＮ枠と時間的に同期された状態にあるため、モバイル・デュアルモード無線機に届いているパケットは、アクセス・ポイント（ＡＰ）に一時滞留される。モバイルがＷＬＡＮネットワークにアクセスできるようになれば、モバイルは、「ＰＳポーリング」コマンドを発し、移されたフレームをＡＰから検索する。プロセッサは、ベース・バンド・プロセッサから未処理ＷＬＡＮのデータ・フレームを受信し、そのデータ・フレームから音声サンプルを抽出する。サンプルは、音声ストリームへの変換前には「ジッター・バッファ」に配置されている。「ジッター・バッファ」は、パケット・ベースのネットワーク上でパケットの着信時間と関連したランダムな遅れを均等化する。ＭＳは、ＡＰのアクセス・ポイントから送信された規則的にスケジュール化されたビーコンを聞き取るか又は別のモバイルの基本サービスセット識別を聞き取ることによって、ＷＬＡＮネットワークに関して受動的に走査する。もう一つの選択肢として、モバイルは「探査要求」を送信することによってネットワークに関して能動的に走査することができる。
【０００９】
（発明を実施するための最良の形態）
本発明については、添付図面と関連して取り上げた好ましい実施形態に関する以下の説明により理解が更に深まるであろう。
図１には、音声／データの統合通信のための無線広域エリア・ネットワーク（ＷＡＮ）１０２、無線ローカル・エリア・ネットワーク（ＷＬＡＮ）１０４及び無線携帯端末（ＷＰＡＮ）１０６の間での論理接続の自動転送として、シームレスな垂直ローミング（ＳＶＲ）１００が記載されている。ブルー・トゥースとして公知のＷＰＡＮ無線・ネットワークは、ホームＲＦワーキング・グループ（ＨＲＦＷＧ）及びブルー・トゥース（ＳＩＧ）を含む産業界の作業部会によって開発された。後述するように、無線サブシステムは、本質的に異なる二つのネットワーク間を自動的に切替るので、ネットワーク１０２、１０４及び１０６間の論理接続の転送は、音声通信又はデータ転送を維持しているユーザにはシームレスである。一つより多いネットワークが、後述するように、特定のネットワークの物理的位置に関する物理的知識に基づいて利用が可能であるときは、ＳＶＲには、アプリケーション／ユーザが特定のネットワークに切替又はローミングすることを可能にすることも含まれる。
【００１０】
一つより多いネットワークが利用可能であるときは、押込みベースの位置サービス又は引込みベースの位置サービスのいずれかが望ましい。例えば、良好な信号強さを持つＷＷＡＮのサービスエリアがモールにおいて利用できる場合であっても、モール内における高速アクセス及び商業スペース内での付加的サービスのために、同程度の良好さ又は若干劣化している信号の質でもＷＬＡＮネットワーク・アクセスがやはり好ましい。ローミング・アルゴリズムは、ユーザがモール（又は大学キャンパス）にいることを考慮し、（信号の質が必ずしも優れたものでないとしても）ＷＬＡＮに切替える。
ＳＶＲは、無線接続されたＷＷＡＮ基地局１０８１．．．１０８ｎの間の水平ローミングに影響を及ぼさない。同様に、ＳＶＲは、無線接続されたＷＬＡＮアクセス・ポイント１１０１．．．１１０ｎの間の水平ローミングに影響を及ぼさない。ブルー・トゥースには、水平ローミングを処理する能力が備わっていない。ブルー・トゥース技術の詳細は、２００１年にニューヨークのＪｏｈｎ  Ｗｉｌｅｙ＆Ｓｏｎｓ，Ｉｎｃ．から出版されたＹ．Ｌｉｎ等による教本「無線及びモバイル・アーキテクチャ」の４８８及び４９０ページに記載されている。
【００１１】
無線広域エリア・ネットワーク（ＷＷＡＮ）１０２は、広範な地理的範囲を通ってユーザ及びデバイスに無線で接続する。セル方式のデジタル・パケット（ＣＤＰＤ）、グローバル・システム・モバイル（ＧＳＭ）、一般パケット無線サービス（ＧＰＲＳ）その他を含む、多くの無線・システムが存在する。便宜上、本発明のＷＷＡＮは、ＧＳＭ／ＧＰＲＳに関して説明する。ニューヨーク州、ニューヨークのＪｏｈｎ  Ｗｉｌｅｙ＆Ｓｏｎｓ，Ｉｎｃ．から出版されたＹ．Ｌｉｎ等による教本「無線及びモバイル・ネットワーク・アーキテクチャ」（２００１年）には、第９章及び第１８章において、ＧＳＭ及びＧＰＲＳの両システムの概略が記載されており、引用によりここに全て組み入れる。ＷＬＡＮに関するＩＥＥＥ８０２．１１プロトコルは、ニューヨーク州ニューヨークのＩＥＥＥ出版の標準情報ネットワークから出版されたＢ．Ｏ’Ｈａｒａ及びＡ．Ｐｅｔｒｅｋによる教本「ＩＥＥＥ８０２．１１ハンドブック−デザイナ・コンパニオン」の第２章に記載されており、引用によりここに全てを組み入れる。
【００１２】
無線ローカル・エリア・ネットワーク（ＷＬＡＮ）１０４は、有線ローカル・ネットワークを拡大させたもの又は他の選択可能なものとして実施された融通性のあるデータ通信システムである。無線ＬＡＮは、無線周波数（ＲＦ）技術を用いて電波を通じてデータの送受信を行い、有線接続の必要性を最小化する。無線ＬＡＮは、データ接続をユーザの機動性に結びつける。具体的な無線ＬＡＮ構造において、送信機／受信機（トランシーバ）のアクセス・ポイントは、標準的なケーブル線を用いる定位置までの有線ネットワークに接続する。少なくともアクセス・ポイントは、無線ＬＡＮと有線ネットワーク・インフラストラクチャとの間でデータを受信し、一時滞留させ、且つ送信する。単一のアクセス・ポイントは、少人数のユーザを支援することができ、１００から７００フィート未満の範囲内で機能することができる。アクセス・ポイント（即ちアクセス・ポイントに取り付けられたアンテナ）は通常、高位置に装備されているが、所望の無線サービスエリアが確保される限り、本来、実用的な場所であれば、どこにでも装備可能である。
【００１３】
ＰＡＬＭ及びデスクトップ・コンピュータは手持形コンピュータの中に統合されているので、エンド・ユーザは、ＰＣカードとしてノートブック又はＰＡＬＭトップ・コンピュータに実装された無線ＬＡＮアダプタを介して無線ローカル・エリア・ネットワークにアクセスする。無線ＬＡＮアダプタは、アンテナ経由でクライアントのネットワーク・オペレーティング・システム（ＮＯＳ）と通信路との間にインターフェースを提供する。無線接続は、本来、ＮＯＳにとって明白なものである。
【００１４】
図２には、モバイル・デバイスに対応するＷＷＡＮ（ＧＳＭ／ＧＰＲＳ）ネットワーク２００が開示されている。アクセス・ポイント２０２は、建物及び公共区域においてＷＬＡＮ２０１に無線でリンクされている（図示せず）。ゲートウェイ２０４は、例えばＩＳＤＮ２０７、ＰＳＴＮ２０９等の公共ネットワーク及びインターネット２１０を通じて、モバイル切替センターのゲートウェイ２０６経由でアクセス・ポイントをＧＳＭ／ＧＰＲＳネットワーク２０５に接続する。ネットワーク２０５は、トラフィックの調整及びネットワークの負荷に関して責任を負う作動維持管理センター（ＯＭＣ）２１２を含む。ホーム・ロケーション・レジスタ（ＨＬＲ）２１４、ビジタ・ロケーション・レジストリ（ＶＬＲ）２１６及び認証センター（ＡＣ）２１８は、ローミング、課金及びネットワーク・セキュリティを容易にするためにユーザに関する情報を格納する。ゲートウェイ２０６にリンクされたモバイル切替センター２２０は、基地局２２２及び２２４に有線接続され、それら基地局は、次にアンテナ２２６、２２８、２３０に有線接続され、各アンテナは、複数のモバイル・デバイス、例えば大衆消費者市場に「モバイル・インターネット・アクセス」を提供するものとして周知の無線携帯情報端末２３２、２３４及びスマート電話２３６等の様々な普及デバイスに対応している。各モバイル装置２３２、２３４、２３６には、ＷＷＡＮ及びＷＬＡＮの識別に関する利用及び課金情報の相互参照に対応する共通の利用者個人情報モジュール（ＳＩＭ）が含まれる。ＧＰＲＳサポート・ノード（ＳＧＳＮ）２４０及びゲートウェイＧＰＲＳサポート・ノード（ＧＧＳＮ）２０８の役割を担うパケット制御装置２３８は、標準ＧＳＭネットワーク上でＧＰＲＳ通信への支援を提供する。
【００１５】
携帯型デュアルモード無線機２４２は、信号計測の強さに応じて、アクセス・ポイント２０２を通ってＷＬＡＮ２０１と、又はアンテナ２２６、２２８、２３０のいずれかを経てＷＷＡＮ２００と、ネットワーク２００経由の通信をユーザに行なわせることができる。デュアルモード無線機デバイス２４２は又、ブルートゥース・ユーザ２４４との通信にも対応できる。
ＧＳＭオペレーションに関する概要及びモバイル発信又はモバイル終了通話の処理に関する概要は、シームレス垂直ローミング（ＳＶＲ）を実行するための基礎知識として妥当なものであると信じられている。次に、デュアルモード無線機ターミナルを、シームレス垂直ローミングの説明に先立ちＧＳＭ／ＧＰＲＳに用いられるシームレス垂直ローミング・インターフェースと併せて説明する。
【００１６】
図３には、ターミナルに供給するための物理的チャネルに信号送信データ又はユーザ・データを搬送する論理チャネルの種別３００が記載されている。ＧＳＭは、トラフィック・チャネル３０２間の識別を行い、トラフィック・チャネルはユーザ・データ及び制御データ３０４用に確保され、それらデータはネットワーク管理メッセージ及び一部のチャネル・メンテナンス・タスクに用いられる。論理チャネルは、２つの異なるデータ転送速度、即ち２２．８ｋｂ／ｓ（最高速度）及び１１．４ｋｂ／ｓ（半分の速度）でデータ及び信号を転送する。トラフィック・チャネル／最高速度（ＴＣＨＦＳ）３０６は、現在のところ、２２．８ｋｂ／ｓのネット通話速度で通話を伝送するチャネルである。チャネル３０６は、トラフィック・チャネル９．６（３０８）、トラフィック・チャネル４．８（３１０）及びトラフィック・チャネル２．４（３１２）に分割される。トラフィック・チャネル／半分の速度（ＴＣＨ／ＨＳ）３１４は１１．４ｋｂ／ｓの通話速度を備える。チャネル３１４は、次に、トラフィック・チャネルＨ４．８（３１６）及びトラフィック・チャネルＴＣＨ／Ｈ２．４（３１８）に分割される。具体的には、ＧＳＭは、９００ＭＨｚ域において２つの２５ＭＨＺ周波数帯を用いる。移動局は８９０から９１５ＭＨｚ周波数域で、基地局は９３０から９６０ＭＨｚ域で、物理的レイヤ又はトランシーバ基地局にある移動局の最終地点に伝送する。ＢＴＳ局に対する移動局伝送はアップリンクを指し、移動局に対するＢＴＳ伝送はダウンリンクを指す。
制御チャネルは、４つの異なる分類からなり、これらは、（１）ブロードキャスト・チャネル（３２０）、共通制御チャネル（３２２）、専用制御チャネル（３２４）、関連制御パネル（３２６）である。
【００１７】
ブロードキャスト・チャネルは、更に、同期チャネル（ＳＣＨ）３２６を含み、基地局からの情報を調整するのに必要とされる基本トレーニング・シークエンスを移動局に供給する。ＳＣＨは同期バーストに対応づけられる。周波数修正チャネル（ＦＣＣＨ）は、システムの周波数参照を移動局に提供する。ＦＣＣＨチャネルは周波数修正バーストに対応づけられる。ブロードキャスト制御チャネル（ＢＣＣＨ）３３０は、ネットワークの識別又はネットワークへのアクセスを取得するのに必要な特定のシステム・パラメータについて移動局に知らせる。これらのパラメータ、特に数ある中で、ロケーション・エリア・コード（ＬＡＣ）、モバイル・ネットワーク・コード（ＭＮＣ）には、周波数及び周辺通話可能範囲を見つけることができる情報、即ち異なる通話可能範囲の選択肢及びアクセス・パラメータが含まれる。
【００１８】
共通制御チャネル３２２は、移動局と基地局との間の専用線の確立をサポートする。チャネルは、通話設定を実行し、ネットワーク又はモバイルから発信することができる。共通制御チャネル３２２は、その通話可能範囲の域内において個々の移動局への基地局通話用のページング・チャネル（ＰＣＨ）３２２に分割される。アクセス承諾チャネル（ＡＧＣＨ）３３４は、モバイルが緊急な必要性のためにいずれの専用チャネルを用いるべきかに関して、基地局に情報を提供する。ランダム・アクセス・チャネル（ＲＡＣＨ）３３６は、移動局によって用いられ、ネットワークから専用チャネルを要求する。チャネル３３４のメッセージは、モバイルの緊急メッセージ３３６に対する基地局からの応答である。
【００１９】
専用制御チャネル３２４は、ネットワーク及び移動局間とのメッセージ転送に用いられる。それらは、無線間での低レベル信号送信メッセージ用である。専用制御パネルには、独立型専用制御チャネル（ＳＤＣＣＨ）３３８と最高速度トラフィック・チャネルが含まれ、更にトラフィック・チャネルの半分の速度３１６で動作する第２独立型専用制御チャネル３４０が含まれる。独立型専用制御チャネルは、移動局と基地局との間で信号送信情報を転送する。チャネル３３８及び３４０は、認証及び通話設定用としても意図されている。
【００２０】
関連制御チャネルには、最高トラフィック速度で動作する高速関連制御チャネル３４２及び半分の速度で動作する高速関連制御チャネル／８の３４４が含まれる。関連制御チャネル３２６には更に、最高速度で動作する低速関連制御チャネル（ＳＡＣＣＨ）３４６、即ち４．８の伝送データ速度で動作する低速関連制御チャネル３４８、半分のデータ転送速度のチャネルで動作する低速関連制御チャネル３５０及び８ｋｂ／ｓで動作する低速関連制御チャネル３５２が含まれる。チャネル３４６、３４８、３５０、３５２は、トラフィック・チャネル又は独立型専用チャネルのいずれかに関連する。ＳＡＣＣＨチャネルの目的はチャネルの保守管理である。ＳＡＣＣＨは、制御及び計測パラメータを搬送するか、又は、モバイルと基地局との間での接続を維持するためのルーチン・データを搬送する。
【００２１】
図４には、ネットワーク内において別のユーザ又はターミナルとの通話を確立するためのモバイル発信通話処理４００が記載されている。モバイル装置は、ＲＡＣＨチャネル３３６経由のステップ４０２において、ネットワークに要求を掲示する。ネットワークは、通話設定用の専用チャネルにアクセス用パラメータを提供するＡＧＣＨチャネル３３４経由のステップ４０４において、チャネルの割り当てを行う。ネットワークへの接続管理サービスの要求は、専用制御チャネル３３８又は３４０経由のステップ４０６において、開始される。ステップ４０８において、認証センター２１８（図２）は、専用チャネル上のモバイルに認証要求を行う。認証は、具体的には、共有秘密データとして公知の秘密鍵が移動局と認証センター（ＡＣ）との間で共有の秘密鍵暗号技術に基づいている。認証プロトコルは、ＥＩＡ／ＴＩＡ電気通信システム掲示（ＴＳＢ）５１に記載されている。ステップ４１０のモバイルは、ネットワークへの専用チャネルを通じて認証応答を開始する。応答は、サービスセット識別子（ＳＳＩＤ）、電子連続番号（ＥＳＮ）、モバイル個人情報番号（ＭＩＮ）及びＰＣサービス・プロバイダから得られる乱数を用いて、セルラー式認証及び音声暗号化アルゴリズムを実行する。
【００２２】
アルゴリズムは、個人サービス・プロバイダに提供される登録認証結果を作成し、更にアルゴリズムには登録認証結果、即ちＥＳＮ、ＭＩＮ、乱数の最重要８バイト、及び移動局によって開始される登録、通話発信、通話確定等の最重要事象の回数である回数値が含まれる。個人サービス・プロバイダは、ステップ４１２の暗号化モード・コマンドに入力する認証センターに認証要求を送る。暗号化モードは、完了のためにモバイルに転送され、ステップ４１４においてネットワークに戻される。標準通話設定は、モバイルによりステップ４１６において、開始される。設定メッセージは、必要なサービスの種類、入手したいユーザ番号、及びモバイルとその性能の確認を指示する。ネットワークは、ステップ４１８においてルーチン処理を開始し、アドレス指定されたユーザを通話発信者に接続する。その間に、ネットワークは、ステップ４２０においてユーザ・データの伝送用のトラフィック・チャネルを割り当てる。ネットワークからの割り当てコマンドは、割り当て完了メッセージによって、既に新チャネルＦＡＣＣＨ／ＴＣＨ３４２上にあるステップ４２２のモバイルから返信される。ネットワークは、ステップ４２４において通話受信者を呼出すために信号発信を開始し、移動局に呼出しメッセージを伝送する。移動局は、聴取可能なリング・バック音を生成し、そのユーザに他者から連絡があり、呼出しを受けていることを知らせる。通話受信者が受け入れ状態にあり、その電話を受けた場合には、接続メッセージは、関連制御チャネル３４２経由でステップ４２６においてモバイルに送られる。確認は、モバイルによってステップ４２８のネットワークに提供され、通話／データは、トラフィック・チャネル３０６を通じてモバイルと通話受信者との間で、取り交わされる。接続を切るためには、ネットワークは、切断メッセージを送ることにより通話解放手続きを開始する。このメッセージに続いて移動局から解放メッセージが送られる。ネットワークは、解放完了メッセージで、これを確認する。チャネル解放メッセージの伝送は物理的接続を終了させ、物理的無線接続が終了する。
【００２３】
図５には、モバイル終了通話処理５００が記載されている。ステップ５０１において、ネットワークは、共通制御チャネルＰＣＨ３３２を通じてページング・通話を終了する。モバイルは、ランダム・アクセス・チャネル３３６を用いてステップ５０１においてチャネル要求を開始する。ネットワークは、通話設定用の専用チャネルにアクセスするためのパラメータを提供する共通制御チャネルＡＧＣＨ３０４を用いて、チャネル割り当て５０５で応答する。モバイルは、独立型専用チャネル３３８経由で、ステップ５０７においてネットワークからの接続管理サービスを開始する。認証要求は、専用制御チャネル３３８又は３４０経由でステップ５０９においてネットワークによって開始される。認証応答は、ステップ４１０において記載したように、ステップ５１１においてモバイルによって開始される。暗号化モード・コマンドは、ステップ５１３においてネットワークによって開始される。モバイルがステップ５１５において暗号化モードを完了するときに、ネットワークが着信設定通話をステップ５１７においてモバイルに提供する。設定確認要求は、ステップ５１９においてネットワークに提供され、ネットワークがステップ５２１においてトラフィック・チャネル割り当てを行う。割り当て完了メッセージは、モバイルによってステップ５２３においてネットワークに送られ、通話発信者即ちユーザは、ステップ５２５においてモバイルによって呼出される。通話発信者が応答すると、モバイルはステップ５２７においてユーザに接続メッセージを送り、ステップ５２９のユーザのためのネットワークによる確認の後に、通話データの相互交換がトラフィック・チャネル３０６を通じて行われる。通話の終了は、図４に関する記載と同様に進められる。
ＷＷＡＮの通話処理に関する更なる詳細は、１９９５年にマサチューセッツ州ノーウッドのアーテック・ハウス出版のＳ．Ｍ．Ｒｅｄｄｅｌによる教本「ＧＳＭ入門」第３章及び第５章に記載されており、引用によりここに全て組み入れる。
【００２４】
図６には、移動局６０２をアクセス・ポイント２０２に接続するための信号送信処理６００が記載されている。モバイル装置６０２は、ステップ６０３において、ＡＰ又は別のモバイルによって送信された規則的にスケジュール化されたビーコンを有するか又は独立基本サービスセット（ＩＢＳＳ）ネットワークを有する８０２．１１（ｂ）ネットワークを見つける。ステップ６０４において、モバイルは、規則的にスケジュール化されたビーコンの受動的聞取りによってネットワークを見つける。ＡＰは、具体的には１００から２００ミリ秒の間で設定された対象ビーコン伝送時間（ＴＢＴＴ）で、規則的にビーコンを伝送する。ビーコンは個人情報を通知し、モバイルがネットワークの位置を確認するのに必要な位置情報を通知する。モバイルは、８０２．１１（ｂ）チャネルに同調させ、移動局が接続を望むサービスセット識別子（ＳＳＩＤ）を有するビーコン・フレームを聞取る。モバイル装置がビーコンを探知した後に、モバイルは、後述されるような認証及び関連づけ処理を進めることによって接続交渉を開始することができる。もう一つの選択肢として、ステップ６０５において、モバイルは能動走査を開始することが可能で、能動走査には、移動局が接続を望むネットワークのＳＳＩＤを備えた探査要求の伝送が含まれる。探査要求は、未使用のＧＳＭ時間枠の間で予定されている。探査要求は、ビーコン地点にアクセスするために同期がとられる必要はない。ステップ６０７において、探査応答時間がかなりかかる可能性［一つのＭＢＰＳ８０２．１１（ｂ）データ転送速度で約７つのＧＳＭ時間枠］ があるため、システムは、ＧＳＭ／ＧＰＲＳの２６マルチ・フレームの中の一つの長時間アイドル・フレーム付近で、それぞれの探査応答をとらえることができるように、探査要求をスケジュール化する必要がある。
【００２５】
モバイルが接続を望むネットワークによって、モバイル探査要求が受信されたならば、アクセス・ポイントは、ネットワークに関する特定パラメータ、例えば周波数ホッピング及び間接的な物理的シークエンス・レイヤのパラメータ群、を含む探査応答を伝送し、その後にモバイル装置及びアクセス・ポイントに対して認証処理６０９が開始される。
ステップ６１１において、モバイル装置は、オープン・システム又は共有鍵認証のいずれかでも可能なＩＥＥＥ  ８０２．１１認証処理を開始する。オープン・システム処理においては、別の局との認証を望んでいる局が送信局の識別を含む認証管理フレームを送る。受信局は、次に、認証局の識別を認めるかどうかを知らせるフレームを送り返す。別の選択肢として、共有鍵認証処理は、８０２．１１ネットワークから独立した安全なチャネルを介して移動局が共有鍵を受け取ったところで開始することができる。いずれの場合でも、ステップ６１３においてアクセス・ポイントがステータス及び要求を添えて移動局に応答する。ステップ６１７において、移動局はアクセス・ポイントに認証応答を提供し、アクセス・ポイントによって受信された場合に、認証ステータスがステップ６１７においてアクセス・ポイントによってモバイル装置に伝送され、承認された認証応答が受信された場合には、関連処理６１９が開始されるが、そうでない場合にはアクセス・ポイントは、ネットワークへの移動局進入を拒否する。
【００２６】
モバイルが認証処理を完了し承認されたならば、モバイルはアクセス・ポイントと連結する準備状態になる。連結するために、モバイルは、ステップ６２１において連結要求コマンドを送信する。コマンドは、モバイルが省電力、データ・キューイング及び基地局システム（ＢＳＳ）インフラストラクチャ内のＡＰからＡＰへのローミング等、ＷＬＡＮのサービス要求をすることができるようにする。要求は、関連応答フレーム経由でステップ６２３において、ＡＰによって承認され、その後に移動局は図４及び図５で記載された処理に従って通話設定及び受信を行うためにネットワークに接続される。
【００２７】
図７には、受動又は能動走査のために、ＷＬＡＮ信号送信を、ＧＳＭ／ＧＰＲＳの空きトラフィック枠にインターリーブすることが記載されている。合計１２５の周波数チャネルがあり、各々はアップリンク及びダウンリンクの両経路において帯域幅が２００ｋＨｚである。制御マルチ・フレーム・チャネルは、２３５．４ミリ秒持続する５１フレームから成る。トラフィック・マルチ・フレームは１２０ミリ秒持続する２６フレームから成る。各ＧＳＭ／ＧＰＲＳフレームは、合計６．４１５ミリ秒の持続時間を有する８つの時間枠から成る。各枠は１５６．２６バイトを搬送し、各バイトの持続時間は３．６９ミリ秒である。
受動走査のために、移動局は、独立基本サービスセット・ネットワーク（ＩＢＳＳ）によって規則的にスケジュール化されたビーコン７０１を聞き取り、ここでは、ビーコンが１００から２００ミリ秒のＴＢＴＴを有し、１秒間に１００万バイト（ＭＢＰＳ）で約３．５ミリ秒の持続期間のビーコン・パルスを有する。移動局は又、データ通信機能（ＤＣＦ）を実行するアクセス・ポイント（ＡＰ）によって送信されたビーコン７０３を受動的に走査することができる。
【００２８】
移動局は又、探査要求７０７が長さ約１ミリ秒で、１ＭＢＰＳで発生するフレーム７１１において空きトラフィック枠７０９の間に該探査要求を送信することによって、ＧＳＭマルチ・フレーム７０５の間に能動走査を実行することができる。受信ネットワーク又はアクセス・ポイントは、無断借用フレーム７１５、具体的には、ＧＳＭマルチ・フレーム７０５のアイドル・フレーム７１５で、通常発生する探査応答７１３を送信する。探査応答は長時間であり、具体的には１ＭＢＰＳの７ＧＳＭ時間枠で、２０マイクロ秒の短い干渉間隔（ＳＩＦＳ）によって探査要求７０７から分離される。
【００２９】
図８には、ＧＳＭ／ＧＰＲＳ信号送信フレーム８０１の空き枠内で音声又はストリーミング・データ・パケットをインターリーブする方法８００が記載されている。ステップ８０３において、デジタル信号プロセッサは、ステップ８０５の１０ミリ秒毎の１６ビットＡ／Ｄコンバータ（図示せず）から音声／データのサンプルを収集し、圧縮する。該方法には１６から８ビットのデジタル的コンパンディングを含むことができる。音声圧縮アルゴリズム、具体的には、ＩＴＵ圧縮アルゴリズムＧ．７２９Ａは、音声／データのサンプルに関して、２ミリ秒毎にパケット８０９を発生させ、１０ミリ秒毎に１０バイトを作成する。こうした１０バイトのブロックが３つ集められ、より高度なレイヤ・プロトコルへの伝送を行うために８０２．１１ｂフレームに組立てられるが、該レイヤ・プロトコルにはインターネット動作プロトコル（ＩＰ）、ユーザ・データグラム・プロトコル（ＵＤＰ）及びリアルタイム・プロトコル（ＲＴＰ）のカプセル化が含まれる。ステップ８０７において、パケット組立処理は約１ミリ秒をかけて、約１２８バイトを作成する。こうしたパケットは、８０２．１１ｂの最も低いデータ転送速度で伝送する場合でも２ミリ秒以内である。ネットワークがパケットの送信を要求したならば、モバイルは、標準搬送波感知モバイル・アクセス（ＣＳＭＡ）経由でメディア及びネットワークにアクセスしようとする競争を開始する。メディアが分散インター・フレーム間隔（ＤＩＦ）に等しい時間、具体的には２０秒間有効であるとモバイルが判断したならば、ステップ８０９において約１６マイクロ秒を要する連続データ転送が達成され、その後にステップ８１１において約３０４マイクロ秒を要する確認が生じる。ステップ８１３において、送信／受信処理全体は２ミリ秒以内で生じ、パケット８０９は信号送信フレーム８０１の未使用時間枠にはめ込まれる。１ＭＢＰＳのインターリーブ処理８００には、３５２マイクロ秒の送信要求（ＲＴＳ）、３０４マイクロ秒の送信クリア（ＣＴＳ）、６７２マイクロ秒のデータ転送及び３０４マイクロ秒の確認が含まれ、６０マイクロ秒の３つのショート・インターフレーム間隔（ＳＩＦ）を含めて合計が１６９２マイクロ秒となるため、この処理は１６９２マイクロ秒を必要とする。
【００３０】
図９には、ＷＬＡＮとＷＷＡＮとの間で、又は逆に、どちらかのネットワーク・エリアでのローミング中に、ユーザが、シームレスに切替ることができるようにするデュアルモード無線機９００が記載されている。無線機９００は実質上、並行な２つの無線システムから成る。ＷＬＡＮ無線区分９０２は、ＲＡＭ９０８にリンクされたベースバンドの信号デジタル処理区分９０６を含むＲＦ区分９０４及び、ボイス・オ−バー・インターネット・プロトコル出力９１２を提供し、更にマイクロホン９１４としての役割をするアナログ・コンバータ９１０へのデジタルから成る。ベースバンドのデジタル処理は、メッセージ制御用フラッシュメモリー９１８によって支持され、インターフェース９２０経由でホスト・コントローラ９２２に接続された中間アクセス・コントローラ（ＭＡＣ）にリンクされている。該ホストはシステム・マスターの役割をし、無線機によって要求されるシステムレベルの動作を全て制御する。例えば、コントローラ９２２は、制御信号送信の流れを管理し、コントローラ９２２とＷＬＡＮ又はＷＷＡＮのいずれかの無線機サブシステムとの間のデータ・トラフィックを管理する。コントローラ９２２は、無線機のシステム制御の実行に関してフラッシュメモリー９２４及びＲＡＭ９２６によって支持される。コントローラ９２２は、例えばプリンタ、ファックス等の外部周辺デバイス９４４、及びインターフェース９４２経由で例えばラップトップ又はデスクトップ・デバイス等のホストに接続する。
【００３１】
ＷＷＡＮ無線機９２４はＷＬＡＮ無線機の繰り返しであるため、その記載が重複することになる。ＷＷＡＮ無線機は、ユーザと通話受信者との間及びユーザと通話発信者との間の通信用のセルラー式音声を提供する。
スキャナ９２６は、受動又は能動走査を目的としてデュアルモード９００に含まれ、そうした走査によりユーザは、伝送用のチャネルを確保するために選択された周波数を自動的に飛び越えることができる。スキャナは、チャネル周波数を受信するためのアナログ装置９２８から成り、それは走査周波数を変更するモータ式制御を作動させるためにＲＡＭが支持するデジタイザ９３０によってデジタル処理される。モータ式制御は、フラッシュメモリー９３６が支持し、デコーダ９３８による出力及びプロセッサ９２２に対するインターフェースを提供する。
【００３２】
図１０において、ＧＳＮ／ＧＰＲＳネットワーク及びＷＬＡＮネットワークのＳＶＲインターフェース１０００は、ＧＳＭ／ＧＰＲＳ時間枠の割り当てに基づいた無線リソースを調整する。デュアル・ネットワーク無線リソース管理機能１００６は、ＧＳＭ／ＧＰＲＳプロトコル・スタック１００２、１００４及びデュアルモード無線機応用プログラム・インターフェース（ＡＰＩ）１００７と連動する。管理装置１００６は、ＧＳＭ／ＧＰＲＳレイヤ１のソフトウェア１００１Ａ時間枠からの空きＧＳＭ時間枠情報を有し、音声活動探知機（ＶＡＤ）１０２０が物理的レイヤ１０１１に増設されてインスタンス及びシステム・クロックを基準とした時間枠の持続時間を報告する。この情報により、管理装置１００６は、ＷＬＡＮ及びＶＯＩＰパケットの送出を最適にスケジュール化することができる。管理装置１００６は、次に、ＷＬＡＮ８０２．１１ＭＡＣレイヤ１０３０に通知し、長いパケットを断片化したり又は、ＷＬＡＮパケットが空のＧＳＭ時間枠内に上手く収まるようにデータ転送速度まで拡大したりする。チャネル構成はネットワークによって左右され、即時変更が可能であるために、ＶＡＤ及び時間枠監視装置は、数十ミリ秒を越えた利用可能時間枠を必ずしも予測できるわけではない。
【００３３】
ＧＳＭ／ＧＰＲＳ及びＷＬＡＮプロトコル・スタック１００２及び１００４は、相互作用している３つの上位保管レイヤとして書き込まれる。レイヤ１の１００１は、特定ハードウェア・プラットフォームに対して最適化される。レイヤ２の１００３及び３の１００５は相当一般的なものであり、作動システムのほとんどに対して移設可能である。レイヤ１の処理１００１は、ＧＳＭバーストの様々な種類の組み立て及び分解に対して責任を有する。各バーストは、各時間枠に完全に収まるように同数のバイトで構成される。レイヤ２の処理１００３は、電波インターフェースを横切っての搬送及びネットワーク・コマンドを容易にする。対応するレイヤ３のプロトコル１００５は、チャネルのいずれかの側にサブルーチンを提供する。
【００３４】
レイヤ２の処理１００３は、チャネルのいずれかの側の対応するレイヤ３のプロトコル・サブルーチンに向けて電波インターフェースを横切ってネットワーク・コマンドの搬送を容易にする。音声及びデータ・トラフィックは、レイヤ２又は３を介しては移動しない。これらのレイヤは、ネットワーク接続の確立、承認、セキュリティ保護、及び最終的にはレイヤ１の音声サンプルが移送されるべきトラフィック・チャネルの確立にのみ用いられる。
レイヤ３の処理１００５は、無線リソースの管理と、ネットワークを横切ってのモバイル・アクセスの認証と、通話の設定及び維持に関する詳細の管理とに責任を有する。こうした機能に対して責任があるレイヤ３に３つのサブ・レイヤがある。無線リソース機能１０１０は、ネットワークとモバイルとの間に開けたチャネルを維持する責任がある。サブ・レイヤ１０１０は更に、無線環境の変更への対応、電力レベルの制御、時間調整、通話可能範囲の接続移行及びチャネル割り当てに対して責任を有する。通話管理サブ・レイヤ（ＣＭ）１０１４は、全回路の確立、維持及び解放に対して責任があり、ユーザ移動に関しては何もしない。
通話管理レイヤは通常、ターミナル応用レイヤと直接通信する。付帯サービスの提供を取扱いＣＭサブ・レイヤ内にはルーチンがある。ＣＭサブ・レイヤ内のルーチンには、モバイル発信通話に関する通話設定の特定手続と、モバイル終了通話に関する設定手続と、通話待ち、会議電話及びユーザに与えることができる通話発信者ＩＤ等の付帯サービス設定の維持・管理とがある。
【００３５】
移動管理サブ・レイヤ（ＭＭ）１０１４は、無線機能とは直接関係しないモバイル・ユーザを捌く結果の全てを取扱う。これらの機能には、ユーザの移動支援、移動データの登録及び管理、ＣＭサブ・レイヤとの既存ＲＲ接続に基づくＭＭ接続条項、ユーザの秘密保護、安全、サービスを受けるためのユーザ条項の確認に関するその他の機能が含まれる。
ＧＳＭ／ＧＰＲＳスタック１００２は、スタック１００２の物理的レイヤ１に接続され、スタック１００４のインターフェース１０２２にリンクされた時間枠リソースの共有機能１０２０経由で、ＷＬＡＮ／８０２．１１プロトコル・スタック１００４にリンクされている。
【００３６】
スタック１００４は、１９９９年、国際標準書籍番号１−５７８８７０−０８１−７、マクミリアン・テクニカル・パブリッシング出版のＪａｙ  Ｇｅｉｅｒによる教本「無線ＬＡＮｓ−相互利用ネットワークの実施」の第４及び５章に記載のＩＥＥＥ８０２．１１標準を実施するもので、更にこれらを引用によりここに完全に組み入れる。要約すると、レイヤ１は、物理的メディア・サブ・レイヤ１０２６用の物理的管理ルーチン１０２４からなり、そのサブ・レイヤは、伝送用のデータ群を作成する上で指示を与えるためにＭＡＣレイヤ１０３０と通信する物理的レイヤ収束手続１０２８の指示に基づき、実際にデータの送受信を実行する。サブ・レイヤ１０２８は又、無線レイヤからＭＡＣレイヤに着信フレームを送る。ＭＡＣレイヤ１０３０において、物理的レイヤに接続された共有デバイスは、ＭＡＣ管理ルーチン１０３２の指示に従う。論理リンク制御エラー１０３４は、発信局と対応する宛先局へのリンクとの間に承認されない接続不能サービスと、接続主体のサービスと、承認済みの接続不能サービスとを提供する。レイヤ１０３４は、トランザクション・コントロール・プロトコル（ＴＣＰ）及びユーザ・データグラム・プロトコル（ＵＤＰ）を用いてデータ移転即ちデータの搬送を監督するインターネット・プロトコル・レイヤ１０３６と連動する。ＴＣＰ／ＵＤＰレイヤ１０３６は、リアルタイム・プロトコル（ＲＴＰ）１０３８内にカプセル化された音声パケット及び／又はデータ・パケットを提供する。ＲＴＰパケットは、音声データ・パケットに関し効率的ではあるが、信頼性のない端末間リアルタイム移送を遂行するユーザ・データグラム・プロトコル（ＵＤＰ）情報の８バイトを先に加えることによって、ＩＰベース・ネットワークを通じての伝送に備える。ＩＴＵ標準Ｈ．３２３は、データ転送速度及び他の機能についてネットワーク・エンティティの間での折衝を行わせる。音声及び／又はデータ・パケットも、ＨＴＴＰレイヤ１０４０を用いて、スタック１００４と管理装置との間で交換することができる。
【００３７】
図１１は、ＷＷＡＮ１１０１とＷＬＡＮ１１０３との間の音声／データのシームレスな能動的ローミングに関する処理全般１１００を示す。完成されるべきＳＶＲについては、一つのネットワークの同時信号送信は、もう一方のネットワークの完全トラフィック接続との間で実行可能でなければならない。ネットワークの関連及び接続維持に関するＷＬＡＮ信号送信が、ＧＳＭ／ＧＰＲＳ音声接続の未使用時間枠で達成される。同様に、ネットワーク登録及び接続維持に関するＧＳＭ／ＧＰＲＳ信号送信が、音声とデータ・パケット転送との間に達成される。２つの異なる処理状態は、ＧＳＭ／ＧＰＲＳ及びＷＬＡＮの同時通信を実現させるが、どちらかのネットワークに音声トラフィック接続及び信号送信処理がインターリーブされている場合には、音声及びデータの同時トラフィックは、ＷＬＡＮ及びＧＳＭ（ＷＷＡＮ）の両方に頼らない。一つのネットワークから別のネットワークへの移行は、信号送信処理が完了し、基本接続が第２ネットワークに既に確立された場合にのみ可能である。
【００３８】
状態１において、ＷＷＡＮとＷＬＡＮとの間の能動的音声トラフィックの信号送信は、図７で記載されたように、空きトラフィック枠で発生させることが可能である。
状態２において、一切の音声トラフィックが存在しないときに、同時処理は全て、図８で説明されたように、ＧＳＭの様々な状態にある未使用ＧＳＭ／ＧＰＲＳ時間枠の間に完成される必要がある。かくして、ＷＬＡＮ音声トラフィックは空きＧＳＭ／ＧＰＲＳ信号送信時間枠の間に発生し、ＷＬＡＮ信号送信は空きＧＳＭトラフィック時間枠の間に発生することになる。ＧＳＭ／ＧＰＲＳ信号送信及びトラフィック・チャネルは、異なるように構成されているが、それぞれは基本的なネットワーク・タイミングで同期させられている。
【００３９】
図１２は、ＷＷＡＮ及びＷＬＡＮのローミング状態に関するＳＶＲ処理１２００を示す。ＷＷＡＮからＷＬＡＮへのローミングの決定は、ＷＬＡＮネットワークの利用可能性及びユーザの好みに基づくことになる。できれば常にＷＬＡＮ経由での接続を好む場合には、ターミナルは、次に、ＷＬＡＮ無線サブシステムがネットワークに連結すると直ちにＳＶＲコマンドを発する。
ＷＷＡＮの音声接続が進行中で、ＷＬＡＮネットワークとの連結が既に確立されると、ローミングが開始可能になる。ＷＬＡＮ信号送信とネットワークとの連結は、音声トラフィックのＷＷＡＮセッションの間に達成できるようにする必要がある。
ローミングは、ユーザが車での移動中に話をしており、車がＷＬＡＮサービスエリアの建物に到着しつつあるときに実行される。建物の中へ足を踏み入れるときにユーザが会話を続けている場合には、ターミナルは、既に確立されているＷＷＡＮ接続を妨害することなく、ＷＬＡＮネットワークを認識し、該ネットワークに繋がる。
【００４０】
図１２には、ＷＷＡＮからＷＬＡＮへのＳＶＲに関する処理１２００が示される。ＷＷＡＮ区分（Ａ）及びＷＬＡＮ区分（Ｂ）からなるデュアルモード無線機１２０１が、ＧＳＭ／ＧＰＲＳ電波接続によって相手ＣにリンクされたＷＷＡＮネットワーク１２０５のトランシーバ基地局ＢＴＳ１２０３経由で、相手Ｃと接続されている様子が示される。トランシーバはモバイル切替センター１２１１に接続された基地局のコントローラ１２０９に接続される。公衆切替電話網１２１３は、ゲートウェイ及びアクセス・ポイントを有するＷＬＡＮネットワーク１２１５とモバイル切替センター１２１１とを相互接続する。ＷＬＡＮアクセス・ポイントは電波リンク１２１７によってＷＬＡＮ無線機Ｂにリンクされる。
【００４１】
ＳＶＲローミング処理１２００は、無線機Ａが相手Ｃとの音声トラフィック接続に繋がっている間に開始する。ステップ１において、明示的通話転送（ＥＣＴ）コマンドが、ＷＬＡＮ無線機Ｂをホストしているゲートウェイにチャネルの転送を開始するためにＷＷＡＮネットワークに発せられる。明示的通話転送は、「統合サービス通信網（ＩＳＮＤ）、信号伝送システムＮｏ．７、国際インターフェースのためのＩＳＤＮユーザ・パート」第１４巻、明示的通話転送（ＥＣＴ）の補助サービス［ＩＴＵ−Ｔ推薦Ｑ．３７２，第７節（１９９６年），改訂版［「１９９８年３．１．３．版」］に記載されている。無線機Ａは、ＷＬＡＮ関連処理中に同一情報にアクセスできるため、無線機Ｂとの接触方法を常に把握していることになる。無線機Ａが発信するか受信するかしても、通話は、その手続きとは無関係である。
【００４２】
ステップ２においては、ＥＣＴコマンド受信時に、ＷＷＡＮは、無線機Ｂに接続されたゲートウェイが、ＷＷＡＮネットワークに登録されたものであるか否かを調べ、通話に応える。これが行なわれている間に、無線機Ａと相手Ｃとの間の接続は遮断されるが、ＥＣＴが失敗した場合には続行することになる。
ステップ３においては、無線機Ｂは、通話発信者の識別が無線機Ａからであることを確認し、直ちにゲートウェイに信号を送って通話を受ける。ＷＷＡＮは、ゲートウェイが通話受信を伝えられたという確認を受信する。
ステップ４においては、ネットワークが通話を転送し、無線機Ａとの接続を切るという信号送信による確認を無線機Ａに発する。この時点で、アクセス・ポイントは、２番目の接続の確立を待つ間に、ＶｏＩＰボコーダに対する音声サンプルを待ち行列に入れ始める。
【００４３】
ステップ５においては、無線機Ａは、ネットワークに確認応答を発し、アイドル状態に戻る前に「ネットワーク切断」コマンドを発する。この状態で、関連するページング・チャネル（ＰＣＨ）を通じてＷＷＡＮページ用監視を行なっている間に、ＷＷＡＮ無線は、ローミングをして、ブロードキャスト・チャネル（ＢＣＨ）と同期した状態に留まる。ネットワークは、ＷＷＡＮネットワーク信号に対応するためにボコーダ機能を必要としない。
ステップ５においては、無線機Ｂは、ゲートウェイ経由の相手Ｃとの接続を待つ。接続が確立されたならば、アクセス・ポイントは待ち行列に入れたＶｏＩＰ／データ・パケットを解放する。
【００４４】
図１３においては、ＷＬＡＮからＷＷＡＮへのＳＶＲに関する処理１３００が示されている。ＷＬＡＮからＷＷＡＮまでのローミング決定は、ＷＷＡＮネットワークが利用可能であることに基づくものである。ユーザが、できれば常にＷＬＡＮ接続経由の接続を好む場合には、ターミナル１３０１は、次に、絶対必要なときにのみＷＷＡＮネットワークにローミングする。ターミナル１３０１が、ＷＬＡＮパケットの高エラー率、周波数レートの短縮、又は一定の信号強さの低下へと徐々に移行しつつあることを感知した場合には、ターミナルは、次に、ＷＷＡＮ無線機サブシステムＡがＷＷＡＮネットワークに登録し、アイドル状態を示すと直ちに、ＳＶＲ（ＷＷＡＮ）コマンドを発する。ターミナル１３０１がＷＬＡＮネットワークの境界線の間に配置されているときには、適切なヒステリシス及びノイズの限界値が、ＷＷＡＮとＷＬＡＮネットワークとの間の頻繁な切替を防ぐことになる。
【００４５】
システムは、ローミングの開始前にＷＬＡＮ音声接続が進行中であることを確認し、ＷＷＡＮ無線機の空きがあり、ＷＷＡＮネットワーク・ページングの監視中であることを確認する。これは、ＷＷＡＮ信号送信及びネットワーク登録がＷＬＡＮのＶｏＩＰ接続中に達成される必要があることを求めるものである。例えば、ユーザが、ＷＷＡＮサービスの適用範囲に殆どない建物を離れようとしながらボイス・オーバーＩＰ経由で会話をしている場合に、ＷＷＡＮ無線は、通話が切替可能となる前にネットワークを見つけ、登録をする必要がある。切替は、ＷＷＡＮのＶｏＩＰ接続中に、ＶｏＩＰの質の著しい劣化なしに行なわれる必要があり、結果として、ＷＷＡＮ信号送信がＷＬＡＮ接続に時間的に多重送信される必要がある。
ＷＷＡＮネットワーク処理が完了し、ＷＷＡＮ無線がアイドルモードでぺ−ジの監視を行なっていると仮定した場合には、ステップ１において、ターミナルがデュアルモード無線機サブシステムにＳＶＲ（ＷＷＡＮ）コマンドを発する。
【００４６】
ステップ２においては、無線機Ｂのサブシステムが相手Ｃとのゲートウェイ経由の音声トラフィック接続に繋がっている間に、ターミナル１３０１は、ゲートウェイ１３１５がＥＣＴコマンドをネットワーク１３０５に発するように求める。コマンドは、無線機Ｂへのトラフィック・チャネルの転送を開始する。システムが加入者識別モジュール・カードからＷＷＡＮ番号にアクセスできるため、無線機Ｂは、常に無線機Ａとの接続の仕方を把握していることになる。無線機Ｂがゲートウェイ経由の通話を発信しているか受信しているかどうかは、その処理とは全く関係がない。
【００４７】
ステップ３においては、ＥＣＴコマンドの受信時に、ＷＷＡＮネットワークは、無線機Ａがそのネットワークに登録されているか否かを調べ、その通話に返答する。このことが行なわれている間は、無線機と相手Ｃとの間の接続は遮断されることはない。
ステップ４においては、無線機Ａは、通話発信者の識別が無線機Ｂから発せられたことを確認し、直ちに通話受信を信号により伝える。ネットワークは無線機Ａがその通話を受信したという確認を受ける。
ステップ５においては、ネットワークは通話の転送及び接続の終了を行なっているゲートウェイに信号送信の確認を発する。ゲートウェイは、サンプルを待ち行列に入れ始め、ＷＷＡＮボコーダに切替ることをモバイルに知らせる。
【００４８】
ステップ６においては、ゲートウェイは、ＷＷＡＮネットワークに確認応答を発し、無線機Ｂが省電力状態に戻る。低電力状態において無線機Ｂは、アクセス・ポイント・ビーコン及びその他のネットワーク活動のための通信路の監視を続ける。例えば、利用可能なＷＬＡＮネットワークを常に把握し、ＳＶＲソフトウェア駆動部にそれらの存在を報告するための探査応答、送信要求などである。
ステップ７においては、無線機Ａが相手Ｃに接続されたならば、アクセス・ポイントは待ち行列に入れられた音声パケットを送信機へと解放する。
【００４９】
本発明は、ＧＳＭ／ＧＰＲＳ及び８０２．１１環境について記載されている一方、ＧＳＭ及びＰＳＴＮ／ＳＳ７回路切替ネットワークへの応用もある。更には、モバイルとＶｏＩＰとしての８０２．１１ＷＬＡＮのアクセス・ポイント／ＥＧＣとの間の音声パケットの転送、ＥＧＣとＰＳＴＮとの間の残りの接続は、ゲートウェイ経由で回路切替接続に移行することになる。実際に、通話は、標準ＳＳ７信号送信プロトコルを用いて２つのＰＳＴＮインターフェースの間で切替が行なわれる。モバイルまでの最後の数メートルだけが実際に無線であって、固定された時間枠（ＧＳＭ／ＧＰＲＳ）にいずれかのランダム・パケット８０２．１１が組み入れられる。
【００５０】
明示的通話転送ＥＣＴが記載されているが、ＥＣＴを会議通話に置換することができる。会議通話はシームレス移行を提供する一方で、一部のＰＳＴＮ／ＳＳ７ネットワークは、通話中の誰もが会議通話料金を支払っていないのであれば、通話発信者が通話を取り止めた後に、遠隔パーティへの接続を必ずしも維持するわけではない。会議通話は音声パケットの一時滞留を必要としないが、一方ＥＣＴが実行し始めたならば、音声パケットは転送されないので、ＥＣＴは、一時滞留を必要とする。ネットワークは、通話が打ち切られる危険性が全くないように通話受信者がかけるまで、能動接続を維持する。
【００５１】
一つより多いネットワークが利用可能な場合の処理１２００及び１３００において、アプリケーション／ユーザは、ネットワークの物理的な位置の知識に基づいて特定ネットワークへの切替、又はローミングができる。物理的な位置は、統合ＧＰＳ又は即時位置システム（ＲＴＳＬ）によって求めることができる。即時位置システムの例は、信号の強さ、着信の時間差即ち着信概算角度、及び様々な無線ネットワークを構成しているＲＦ信号そのものからの三角測量法を用いたもの等である。ネットワーク位置のその他の方法には、ＲＦＩＤ及びインフラストラクチャ・レッド発光位置マーカが含まれる。「直観的音響ビーコンを用いる三次元（３−Ｄ）物体探査装置システム、作動システム及び方法」というタイトルで、本発明と同じ譲受人に譲渡されたもので、引用によりここに完全に組み入れる２００１年１１月７日出願の米国特許出願第０９―９８６、０５４号、整理番号１１８６には、着信概算角度及び物体の位置を求めるための三角測量を用いたＲＴＬＳシステムの例が記載されている。
【００５２】
一つより多いネットワークがローミング・ユーザに利用可能である場合には、押込みベースの位置サービスか、又は引込みベースの位置サービスかのどちらかのものが望ましい。例えば、モールにおいて良好な信号強さを備えたＷＷＡＮサービスが提供されているとしても、高速アクセス及びモール内におけるｅ―コマースの付加的サービスのため、同程度の良好さ又は若干劣る信号の質を備えたＷＬＡＮネットワーク・アクセスが依然として好まれることがある。そのため、デュアルモード無線機に組み込まれたローミング・アルゴリズムは、ユーザがモール（又は大学キャンパス）にいることを考慮に入れて、信号の質が必ずしもより良いものでなくとも、ＷＬＡＮに切替える。
【００５３】
本発明は好ましい実施形態に関連して示され記載されているが、特許請求の範囲に記載の本発明の範囲から逸脱することなく、様々な変更をすることができる。
【図面の簡単な説明】
【図１】
ＷＷＡＮ基地局即ちＷＬＡＮアクセス・ポイント及び無線・パーソナル・アシスタント・ネットワーク（ＷＰＡＮ）マスター・トランシーバ、ネットワーク間に水平ローミングを提供するＷＷＡＮ及びＷＰＡＮネットワークのシームレス垂直ローミング（ＳＶＲ）を表したものである。
【図２】
無線リンク経由でのユーザと、及びモバイル・デバイスサービスの提供によるアクセス・ポイントとリンクされた公知のＧＳＭ／ＧＰＲＳネットワークを表したものであり、ＧＳＭ／ＧＰＲＳネットワークは、ＩＳＤＮ、ＰＳＴＮ、インターネット等を含む外部ネットワークに接続されている。
【図３】
図２の公知ネットワークにおけるトラフィック及び制御に関する論理チャネル表である。
【図４】
図２のネットワークにおけるモバイル・デバイスにより発信された通話確立処理を表したものである。
【図５】
図２のネットワークにおける通話の受信を行なうモバイル・デバイスを表したものである。
【図６】
図２におけるＳＶＲを実行するときのＷＬＡＮ信号送信状態を表したものである。
【図７】
ＷＬＡＮ信号送信を図４及び５に示されたＧＳＭトラフィックにインターリーブすることを表したものである。
【図８】
ボイス・オーバーＩＰ（ＶＯＩＰ）又はデータ・トラフィックを図４及び図５に示されたＧＳＭ信号送信にインターリーブすることを表したものである。
【図９】
図２のネットワークのユーザによって用いられるデュアルモード無線機を表したものである。
【図１０】
本発明の原理に従うＩＥＥＥ８０２．１１を実行するＧＳＭ／ＧＰＲＳネットワーク及びＷＬＡＮネットワークに対して階層化されたＳＶＲインターフェースを表したものである。
【図１１】
本発明の原理を用いて図２のネットワークにおけるＷＷＡＮとＷＬＡＮとの間のＳＶＲのための条件を表したものである。
【図１２】
図２のネットワークにおけるＷＬＡＮからＷＷＡＮへのＳＶＲを表したものである。
【図１３】
図２のネットワークにおけるＷＷＡＮからＷＬＡＮへのＳＶＲを表したものである。
【図１】
2004517574.tif 000003
【図２】
2004517574.tif 000004
【図３】
2004517574.tif 000005
【図４】
2004517574.tif 000006
【図５】
2004517574.tif 000007
【図６】
2004517574.tif 000008
【図７】
2004517574.tif 000009
【図８】
2004517574.tif 000010
【図９】
2004517574.tif 000011
【図１０】
2004517574.tif 000012
【図１１】
2004517574.tif 000013
【図１２】
2004517574.tif 000014
【図１３】
2004517574.tif 000015
【国際公開パンフレット】
2004517574.tif 000016
2004517574.tif 000017
2004517574.tif 000018
2004517574.tif 000019
2004517574.tif 000020
2004517574.tif 000021
2004517574.tif 000022
2004517574.tif 000023
2004517574.tif 000024
2004517574.tif 000025
2004517574.tif 000026
2004517574.tif 000027
2004517574.tif 000028
2004517574.tif 000029
2004517574.tif 000030
2004517574.tif 000031
2004517574.tif 000032
2004517574.tif 000033
2004517574.tif 000034
2004517574.tif 000035
2004517574.tif 000036
2004517574.tif 000037
2004517574.tif 000038
2004517574.tif 000039
2004517574.tif 000040
2004517574.tif 000041
2004517574.tif 000042
2004517574.tif 000043
2004517574.tif 000044
2004517574.tif 000045
2004517574.tif 000046
2004517574.tif 000047
2004517574.tif 000048
2004517574.tif 000049
2004517574.tif 000050
2004517574.tif 000051
2004517574.tif 000052
2004517574.tif 000053
2004517574.tif 000054
2004517574.tif 000055
2004517574.tif 000056
2004517574.tif 000057
2004517574.tif 000058
2004517574.tif 000059
2004517574.tif 000060
【国際公開パンフレット（コレクトバージョン）】
2004517574.tif 000061
2004517574.tif 000062
【国際公開パンフレット（コレクトバージョン）】
2004517574.tif 000063
2004517574.tif 000064
【国際調査報告】
2004517574.tif 000065
2004517574.tif 000066
2004517574.tif 000067
2004517574.tif 000068
2004517574.tif 000069
2004517574.tif 000070
2004517574.tif 000071
2004517574.tif 000072
2004517574.tif 000073
2004517574.tif 000074